(57)【要約】【課題】      長手方向に強い衝撃を受けても、棒状化粧料が折れたり抜け落ちたりして使用に支障が生じることのない棒状化粧料用中皿を提供することを目的とする。【解決手段】  中皿を棒状化粧料の下部を装着するための内筒と該内筒を摺動可能に且つ環状弾性部材を介して収納する外筒とから構成し、長手方向の衝撃を環状弾性部材の伸縮による内筒の移動により吸収可能とするとする。【選択図】    図１
2006122394.tif 000002
【特許請求の範囲】
【請求項１】
棒状化粧料の下部を装着するための内筒と該内筒を長手方向に摺動可能に収納する外筒とからなり、環状弾性部材を、該環状弾性部材を内筒の所定部位と外筒の所定部位とに当接させる形で、内筒の摺動方向に介在させたことを特徴とする棒状化粧料用中皿。
【請求項２】
常態において内筒が外筒内を一方向にのみ摺動可能であって該方向に１つの環状弾性部材を介在させた請求項１に記載の棒状化粧料用中皿。
【請求項３】
常態において内筒が外筒内を双方向に摺動可能であって各々の方向に１つずつの環状弾性部材を介在させた請求項１に記載の棒状化粧料用中皿。
【請求項４】
内筒の所定部位が端部又は外側の突起部若しくは段部であり、外筒の所定部位が端部又は内側の突起部若しくは段部である、請求項１〜３の何れかに記載の棒状化粧料用中皿。
【請求項５】
環状弾性部材が、コイルばねである請求項１〜４の何れかに記載の棒状化粧料用中皿。
【請求項６】
環状弾性部材が、柔軟素材からなる請求項１〜４の何れかに記載の棒状化粧料用中皿。
【請求項７】
柔軟素材が、シリコーンゴムである請求項６に記載の棒状化粧料用中皿。
【請求項８】
柔軟素材の国際ゴム硬度ＩＲＨＤが、３０〜８０である請求項６又は７に記載の棒状化粧料用中皿。
【請求項９】
請求項１〜８のいずれかに記載された棒状化粧料収納容器用中皿と該中皿を上下移動可能とする繰り出し機構とキャップとを構成要素とする棒状化粧料収納容器。
【請求項１０】
請求項９に記載された棒状化粧料収納容器における中皿に棒状化粧料が装着された棒状化粧用具。
【発明の詳細な説明】
【技術分野】
【０００１】
本発明は、口紅等の棒状化粧料を該棒状化粧料の下部で保持するための中皿に関する。
【背景技術】
【０００２】
棒状化粧料収納容器は、中皿と該中皿を上下移動可能とする繰り出し機構とキャップを構成要素とするものであり、中皿は、棒状化粧料の外径とほぼ等しい内径の筒状部を有しており、その筒状部に棒状化粧料の下部を装着した形で棒状化粧料を保持する構造となっている。
しかし、この棒状化粧料収納容器に棒状化粧料が収納された棒状化粧用具に衝撃を与えた場合に、棒状化粧料が折れたり、中皿より抜け落ちたりすることがある。
このため、棒状化粧料を確実に保持して抜けを防止する方策として、中皿の筒状部の内
壁面に係合用リブを設けて棒状化粧料に食い込ませることが通常行われている（例えば、特許文献１参照）。
【０００３】
しかし、この場合も、棒状化粧用具を落下させたり、棒状化粧料を必要以上に唇等に押し付けることにより、特に長手方向に強い衝撃を与えた場合には、棒状化粧料が係合用リブの部分で折れたり、係合用リブの部分で損傷を受けて係合が不十分となって抜け落ちたりして、使用に支障が生じることがある。
【特許文献１】実開昭６２−６７５１５号公報
【発明の開示】
【発明が解決しようとする課題】
【０００４】
本発明は、上記のような従来技術に鑑み、長手方向に強い衝撃を受けても、棒状化粧料が折れたり抜け落ちたりして使用に支障が生じることのない棒状化粧料用中皿を提供することを目的とする。
【課題を解決するための手段】
【０００５】
本発明者らは、中皿を棒状化粧料の下部を装着するための内筒と該内筒を摺動可能に且つ環状弾性部材を介して収納する外筒とから構成し、長手方向の衝撃を環状弾性部材の伸縮による内筒の移動により吸収可能とすることにより、上記の目的を達成できることを知見した。
【０００６】
すなわち本発明は、棒状化粧料の下部を装着するための内筒と該内筒を長手方向に摺動可能に収納する外筒とからなり、環状弾性部材を、該環状弾性部材が内筒の所定部位と外筒の所定部位とに当接させる形で、内筒の摺動方向に介在させ、長手方向の衝撃を環状弾性部材の収縮による内筒の移動により吸収可能としたことを特徴とする棒状化粧料用中皿である。
なお、本発明においては、長手方向における棒状化粧料の先端方向を「上」、その反対方向を「下」とする。
【発明の効果】
【０００７】
本発明によれば、長手方向に強い衝撃を受けても、棒状化粧料が折れたり抜け落ちたりして使用に支障が生じることのない棒状化粧料用中皿を提供することができる。
【発明を実施するための最良の形態】
【０００８】
図１は、本発明の中皿の１例を示す縦断面図であり、（Ｉ）は常態（通常にある状態）での形状を示し、（II）は上方への衝撃を受けた状態での形状を示している。
図１において、中皿Ａは、内筒１と、内筒１を摺動可能に収納する外筒２からなっている。内筒１内には棒状化粧料３がその下部を挿入する形で装着されており、内筒１の内部に設けられた係合用リブ１４により抜けないように固定されている。
外筒２の内部には、突起部２１ａ、２１ｂが設けられている。４ａは、柔軟素材からなる環状弾性体である。
図１に示した例では、内筒１は常態では外筒内を上方にのみ摺動可能であり、（Ｉ）に示したように、内筒１の下方の端部１１ｂは外筒２の下方の突起部２１ｂに当接させて下方へ摺動させないようにすると共に、内筒１の上方の端部１１ａと外筒２の上方の突起部２１ａとの間には、それらの各々に当接させて柔軟素材からなる環状弾性体４ａを介在させている。
（Ｉ）に示した状態で、落下等により図中矢印で示した方向、即ち上方（棒状化粧料の先端方向）への衝撃を受けると、（II）に示したように、環状弾性体４ａが収縮する形で内筒１が外筒２内を摺動して上方に移動し、それにより衝撃は吸収される。
【０００９】
図２は、本発明の中皿の他の例を示す縦断面図である。この例でも、内筒１が外筒２内に摺動可能に収納され、内筒１内には棒状化粧料３がその下部を挿入する形で装着されて内筒１の内部に設けられた係合用リブ１４により抜けないように固定されている点では、図１に示した例と同じである。
しかし、図２に示した例では、内筒１は常態では、外筒２内を下方にのみ摺動することが可能であり、内筒１の上方の突起部１２ａを外筒２の上方の段部２２ａに当接させて上方へ摺動させないようにすると共に、内筒１の下方の段部１３ｂと外筒２の下方の突起部２１ｂとの間には、それらの各々に当接させてスプリングからなる環状弾性体４ａを介在させている。５は本体である。
従って、図２に示した例の場合は、使用者が口紅等の棒状化粧料を唇等に強く押し付ける等により、図中矢印で示した方向、即ち下方への衝撃を受けると、環状弾性体４ｂが収縮する形で内筒１が外筒２内を摺動して下方に移動し、それにより衝撃は吸収される。
【００１０】
なお、本発明において内筒及び外筒の所定部位とは、環状弾性体と当接することによりその環状弾性体の弾性力を内筒及び外筒の摺動方向に付与するための部位を意味するが、その形状はその目的を達成しうるものであれば特に限定されず、例えば、図１及び図２に示した、内筒１の端部１１ｂ、突起部１２ａ及び段部１３ｂや、外筒２の突起部２１ｂの如き形状を採ることができる。
【００１１】
図１に示した例及び図２に示した例は、内筒は外筒内を上下何れか一方にのみ摺動可能であって、何れも環状弾性体は内筒の上下何れか一方の摺動可能な方向の側にのみ介在させており、上方又は下方の何れか一方方向への衝撃のみを吸収するものであるが、２つの環状弾性体を内筒の上下の両側に各々介在させてもよく、その場合は内筒は外筒内を上下双方向に摺動可能であり上方への衝撃及び下方への衝撃の何れにも対応し、それらの衝撃を吸収するものとすることができる。
図３は、そのような例を示す縦断面図である。
【００１２】
本発明の中皿における内筒及び外筒は、硬質素材で形成する。ここで、硬質素材は、内筒が外筒の中で上下移動をする際、及び中皿が繰り出し機構の中で上下移動をする際に必要な摺動性を有する素材を意味し、金属や硬質樹脂が含まれるが、射出成形により生産性良く製造し得る点では、硬質樹脂が好ましい。
硬質樹脂としては、アクリロニトリル・スチレン樹脂（ＡＳ）、アクリロニトリル・ブタジエン・スチレン樹脂（ＡＢＳ）、ポリアセタール（ＰＯＭ）、耐衝撃性ポリスチレン（ＨＩＰＳ）等を例示し得る。ＡＳは透明であることが求められる場合に、逆にＡＢＳは不透明であることが求められる場合に、使用しても差し支えない。
硬質樹脂を使用する場合は、棒状化粧料との相性、例えば、棒状化粧料の食いつきの良さや硬質樹脂と棒状化粧料とが相互に品質劣化を起こす等の悪影響を及ぼさないことを考慮して選択するのが好ましい。
なお、内筒と外筒とを別々の素材で形成してもよい。
【００１３】
内筒には棒状化粧料の下部が装着されるが、棒状化粧料のぬけを防止するためには、図１、２中で１４で示した係合用リブを設けるのが好ましい。
係合用リブの形状、高さ、個数等には制約はなく、従来公知のものや、本出願人の提案した、貫通する空隙部を有する係合用リブを斜め上方又は下方に伸長して設けて棒状化粧料の抜け及びちぎれを防止する態様（特願２００４−４５６９８）等を採用することができる。
また、係合用リブは、内筒と同じ素材で一体に成形するのが一般的であるが、本出願人の提案した、内筒と異なった材質である、国際ゴム硬度ＩＲＨＤが３０〜８０の素材からなる係合用リブを設けて棒状化粧料の抜け及びちぎれを防止する態様（特願２００３−１９０１９０）等を採用することもできる。
【００１４】
環状弾性体としては、図１中に４ａで示したような柔軟素材からなる環状弾性体や、図２中に４ｂで示したようなスプリングからなる環状弾性体を例示することができる。
中皿が衝撃を受けた際に内筒が外筒内を摺動して移動する距離は、特に制限されないが棒状化粧料の大きさからは、１〜５ｍｍ程度が好ましい。
棒状化粧料を収納した内筒は、棒状化粧料の通常の使用に際しては外筒内を摺動（移動）せず、衝撃を受けた際にのみ摺動（移動）することが必要であり、従って、環状弾性体は棒状化粧料の通常の使用に際しては収縮せず、衝撃を受けた際にのみ上記のような程度の距離の収縮をするものが好ましく、柔軟素材の場合は国際ゴム硬度ＩＲＨＤが３０〜８０程度の素材が、スプリングの場合は、ばね定数が０．２〜１．０Ｎ／ｍ  程度のものが好ましい。
【００１５】
スプリングからなる環状弾性体におけるスプリングの材質としては、特に制約はなく、金属及び合成樹脂の何れもが使用可能であるが、変質し難い等の点から、ステンレスが好ましい。
柔軟素材からなる環状弾性体における柔軟素材としては、特に制約はなく、加硫ゴムや熱可塑性エラストマー等のエラストマーを例示することができるが、臭気を発生しない等の点から、シリコーンゴムが好ましい。
【００１６】
次に本発明の棒状化粧料収納容器について説明する。
図４は、本発明の棒状化粧料収納容器の一例の部分縦断面図であり、棒状化粧料収納容器は、棒状化粧料（図示せず）を装着した内筒１と外筒２とからなる中皿Ａ、本体５、ラセン部材６、摺動リング７、スリーブ８、ハカマ９、中具１０、キャップ１１からなる。
中皿Ａに設けられた係合ピン２３（図１〜３では図示せず）は、本体に設けられた上下方向の切り欠き溝を貫通して、ラセン部材に設けられたラセン状の溝６１に挿入されている。
そして、キャップ１１をはずした状態で、摺動リング７を回転させることによりラセン部材が回転し、中皿Ａの係合ピン２３が、ラセンのラセン状の溝６１と本体の上下方向の溝内を摺動して、中皿Ａが上下方向に移動する。そしてそれにより、棒状化粧料を突出・退避させて使用することができる。
図４に示したのは、一例であり、全体及び各構成要素の形状、組み合わせ方法、中皿を上下移動させる繰り出し方式等は、従来の棒状化粧料収納容器と同様のものを採用することができる。
【００１７】
本発明の棒状化粧料収納容器は、口紅、リップクリーム、スティックアイシャドウ、スティックファンデーション等の棒状化粧料に使用することができる。
これらの棒状化粧料を中皿に装着・固定する方法としては、型枠を使用して別途成形固化した棒状化粧料を中皿に差込み、係合用リブと嵌合させる方法もあるが、中皿の底部に棒状化粧料の充填口を設け、更に、中皿の先端部側の開口部を成形カプセルで覆った状態で充填口から加熱溶融した棒状化粧料を中皿内に充填し、冷却・固化する方法が、製造工程を簡略化でき、コストを削減できるので、好ましい。
【実施例】
【００１８】
実施例１
図１に示すような形状の中皿を、ウレタン樹脂を使用して成形・製作した。内筒は、外径１２．７０ｍｍ、内径１２．１０ｍｍ、長さ２２．５０ｍｍであり、内部に高さ１．９５ｍｍの係合用リブを設けた。
外筒は、外径１３．９７ｍｍ、内径１２．８０ｍｍ、長さ１１．００ｍｍであり、内部の上方及び下方に突起部が設けられている。
内筒の上方の端部は外筒の上方の突起部と当接し、内筒の下方には、外径１２．７０ｍｍ、内径１２．１ｍｍ、長さ２ｍｍの環状弾性体が、内筒の下方の端部と外筒の下方の突起部とに各々当接する形で装着している。
環状弾性体は、国際ゴム硬度ＩＲＨＤが４０のシリコーンゴムからなっている。
この中皿の内筒に紅を装着し、これを図４に示す如き容器に収納した。
【図面の簡単な説明】
【００１９】
【図１】本発明の中皿の一例の縦断面図である。
【図２】本発明の中皿の一例の縦断面図である。
【図３】本発明の中皿の一例の縦断面図である。
【図４】本発明の棒状化粧料収納容器の一部切り欠き縦断面図である。
【符号の説明】
【００２０】
Ａ      中皿
１      内筒
１１ａ  端部
１１ｂ  端部
１２ａ  突起部
１３ｂ  段部
１４    係合用リブ
２      外筒
２１ａ  突起部
２１ｂ  突起部
２２ａ  段部
２３    係合ピン
３      棒状化粧料
４ａ    柔軟素材からなる環状弾性体
４ｂ    スプリングからなる環状弾性体
５      本体
６      ラセン部材
６１    ラセン溝
７      摺動リング
８      スリーブ
９      ハカマ
１０    中具
１１    キャップ
【図１】
2006122394.tif 000003
【図２】
2006122394.tif 000004
【図３】
2006122394.tif 000005
【図４】
2006122394.tif 000006